(57)【要約】【課題】乳幼児の月齢を考慮して睡眠に関わる発達状態を正確に評価する。【解決手段】所定期間内において乳幼児が睡眠を開始した時刻と前記睡眠から覚醒した時刻とを含む睡眠データの入力を受け付ける睡眠データ受け付け処理（Ｓ１０１）と、受け付けた前記睡眠データに基づいて、前記乳幼児の睡眠スコアを算出する睡眠スコア算出処理（Ｓ１０２）と、前記乳幼児の月齢と、算出された前記睡眠スコアとに基づいて、前記乳幼児の睡眠に関わる発達状態を表す睡眠発達ランクを決定する、睡眠発達ランク決定処理（Ｓ１０３）と、決定した前記睡眠発達ランクに対応した情報を発信する、情報発信処理（Ｓ１０４）と、をコンピューターに実行させる。【選択図】図４
2020112953.tif 000002
【特許請求の範囲】
【請求項１】
所定期間内において乳幼児が睡眠を開始した時刻と前記睡眠から覚醒した時刻とを含む睡眠データの入力を受け付ける睡眠データ受け付け処理と、
受け付けた前記睡眠データに基づいて、前記乳幼児の睡眠スコアを算出する睡眠スコア算出処理と、
前記乳幼児の月齢と、算出された前記睡眠スコアとに基づいて、前記乳幼児の睡眠に関わる発達状態を表す睡眠発達ランクを決定する、睡眠発達ランク決定処理と、
決定した前記睡眠発達ランクに対応した情報を発信する、情報発信処理と、
をコンピューターに実行させる、ことを特徴とするプログラム。
【請求項２】
請求項１に記載のプログラムであって、
前記情報発信処理において発信される前記情報には、育児アドバイスに関する情報が含まれている、ことを特徴とするプログラム。
【請求項３】
請求項２に記載のプログラムであって、
前記睡眠発達ランクが高いほど、発信される前記育児アドバイスの種類が少ない、ことを特徴とするプログラム。
【請求項４】
請求項２または３に記載のプログラムであって、
複数種類の前記育児アドバイスのうち、所定の育児アドバイスについて優先順位が設定されており、
前記優先順位が高い前記育児アドバイスから優先して発信される、ことを特徴とするプログラム。
【請求項５】
請求項１〜４の何れか１項に記載のプログラムであって、
前記睡眠発達ランク決定処理では、前記乳幼児の月齢に応じて複数段階の前記睡眠発達ランクが規定された睡眠発達情報を参照し、
前記乳幼児の月齢と、算出された前記睡眠スコアとに基づいて、前記睡眠発達ランクが決定される、ことを特徴とするプログラム。
【請求項６】
請求項１〜５の何れか１項に記載のプログラムであって、
前記情報発信処理では、前記乳幼児の月齢に応じて複数段階の前記睡眠発達ランクが表された図に、
算出された前記睡眠スコアを重ねて表示した図が発信される、ことを特徴とするプログラム。
【請求項７】
請求項６に記載のプログラムであって、
前記情報発信処理では、前記乳幼児の月齢に応じて複数段階の前記睡眠発達ランクが表された前記図に、
時系列毎に算出された複数の前記睡眠スコアを重ねて表示した図が発信される、ことを特徴とするプログラム。
【請求項８】
請求項１〜７の何れか１項に記載のプログラムであって、
前記情報発信処理では、
睡眠データ受け付け処理にて受け付けた前記睡眠データを視覚的に表示した図が発信される、ことを特徴とするプログラム。
【請求項９】
所定期間内において乳幼児が睡眠を開始した時刻と前記睡眠から覚醒した時刻とを含む睡眠データの入力を受け付ける睡眠データ受け付け工程と、
受け付けた前記睡眠データに基づいて、前記乳幼児の睡眠スコアを算出する睡眠スコア算出工程と、
前記乳幼児の月齢と、算出された前記睡眠スコアとに基づいて、前記乳幼児の睡眠に関わる発達状態を表す睡眠発達ランクを決定する、睡眠発達ランク決定工程と、
決定した前記睡眠発達ランクに対応した情報を発信する、情報発信工程と、
を有する、ことを特徴とする育児支援方法。
【請求項１０】
ネットワークを介して接続された情報処理装置と、端末とを有する育児支援システムであって、
前記情報処理装置は、
所定期間内において乳幼児が睡眠を開始した時刻と前記睡眠から覚醒した時刻とを含む睡眠データの入力を、前記ネットワークを介して前記端末から受け付ける睡眠データ受け付け処理部と、
受け付けた前記睡眠データに基づいて、前記乳幼児の睡眠スコアを算出する睡眠スコア算出処理部と、
前記乳幼児の月齢と、算出された前記睡眠スコアとに基づいて、前記乳幼児の睡眠に関わる発達状態を表す睡眠発達ランクを決定する、睡眠発達ランク決定処理部と、
決定した前記睡眠発達ランクに対応した情報を、前記ネットワークを介して前記端末に発信する、情報発信処理部と、
を備える、ことを特徴とする育児支援システム。
【発明の詳細な説明】
【技術分野】
【０００１】
本発明は、プログラム、育児支援方法、及び、育児支援システムに関する。
【背景技術】
【０００２】
乳幼児にとって、睡眠が非常に重要であることが知られている。そして、乳幼児の睡眠の発達状態を知ることができれば、育児者は乳幼児に対して適切に睡眠を促すことができる。そのため、乳幼児の睡眠状況を評価して、当該評価結果に基づいて育児者に対して有用な育児情報を提供する方法が提案されている。例えば、特許文献１には、乳幼児の睡眠時間を入力すると、睡眠時間の長短などの乳幼児の特徴に応じてユーザーグループが作成され、グループ内で育児の悩みなどを共有・相談することを可能とする技術が開示されている。
【先行技術文献】
【特許文献】
【０００３】
【特許文献１】特開２００８−１０８１７５号公報
【発明の概要】
【発明が解決しようとする課題】
【０００４】
しかしながら、乳幼児の睡眠発達状態は月齢によってばらつきが生じる場合があるため、それを考慮して睡眠発達状態を評価しなければ、乳幼児の正確な睡眠発達状態を知ることはできない。
【０００５】
本発明は、上記のような問題に鑑みてなされたものであって、その目的とするところは、乳幼児の月齢を考慮して睡眠発達状態を正確に評価することにある。
【課題を解決するための手段】
【０００６】
上記目的を達成するための主たる発明は、
所定期間内において乳幼児が睡眠を開始した時刻と前記睡眠から覚醒した時刻とを含む睡眠データの入力を受け付ける睡眠データ受け付け処理と、受け付けた前記睡眠データに基づいて、前記乳幼児の睡眠スコアを算出する睡眠スコア算出処理と、前記乳幼児の月齢と、算出された前記睡眠スコアとに基づいて、前記乳幼児の睡眠に関わる発達状態を表す睡眠発達ランクを決定する、睡眠発達ランク決定処理と、決定した前記睡眠発達ランクに対応した情報を発信する、情報発信処理と、をコンピューターに実行させる、ことを特徴とするプログラムである。
本発明の他の特徴については、本明細書及び添付図面の記載により明らかにする。
【発明の効果】
【０００７】
本発明によれば、乳幼児の月齢を考慮して睡眠発達状態を正確に評価することができる。
【図面の簡単な説明】
【０００８】
【図１】本実施形態にかかる育児支援システム１を説明する図である。
【図２】サーバー装置１０の機能上の構成を示すブロック図である。
【図３】端末２０の機能上の構成を示すブロック図である。
【図４】本実施形態にかかる育児支援動作の処理手順を示すフロー図である。
【図５】睡眠データ入力画面２１０の一例を表す図である。
【図６】睡眠発達情報の一例として、睡眠成長曲線を表す図である。
【図７Ａ】育児アドバイスデータベース１２１のデータ構造例を示す図である。
【図７Ｂ】育児アドバイスデータベース１２１のデータ構造例を示す図である。
【図７Ｃ】育児アドバイスデータベース１２１のデータ構造例を示す図である。
【図８】端末表示部２４に表示される育児アドバイス表示画面２２０の一例を表す図である。
【図９】端末表示部２４に表示される睡眠スコア表示画面２３０の一例を表す図である。
【発明を実施するための形態】
【０００９】
本明細書及び添付図面の記載により、少なくとも以下の事項が明らかとなる。
所定期間内において乳幼児が睡眠を開始した時刻と前記睡眠から覚醒した時刻とを含む睡眠データの入力を受け付ける睡眠データ受け付け処理と、受け付けた前記睡眠データに基づいて、前記乳幼児の睡眠スコアを算出する睡眠スコア算出処理と、前記乳幼児の月齢と、算出された前記睡眠スコアとに基づいて、前記乳幼児の睡眠に関わる発達状態を表す睡眠発達ランクを決定する、睡眠発達ランク決定処理と、決定した前記睡眠発達ランクに対応した情報を発信する、情報発信処理と、をコンピューターに実行させる、ことを特徴とするプログラム。
【００１０】
このようなプログラムによれば、実際に算出された乳幼児の睡眠スコア、及び、乳幼児の月齢に基づいて睡眠発達ランクが決定される。したがって、月齢による睡眠スコアのばらつきの影響が抑制され、乳幼児の睡眠に関わる発達状態について、客観的で正確な評価を行うことができる。
【００１１】
かかるプログラムであって、前記情報発信処理において発信される前記情報には、育児アドバイスに関する情報が含まれている、ことが望ましい。
【００１２】
このようなプログラムによれば、育児対処の乳幼児の睡眠発達状態に応じた的確で有用なアドバイスが発信されることにより、育児者が十分な育児経験を有していない場合や、育児上の不安を感じている場合であっても、育児者は安心してアドバイスを実践しやすくなる。したがって、育児者による育児を効果的に支援することができる。
【００１３】
かかるプログラムであって、前記睡眠発達ランクが高いほど、発信される前記育児アドバイスの種類が少ない、ことが望ましい。
【００１４】
このようなプログラムによれば、睡眠発達ランクが高く、既に良好な睡眠・覚醒リズムを実現できている乳幼児に対しては、過度な育児アドバイスを行わないようにすることにより、睡眠・覚醒リズムを悪化させてしまうことを抑制できる。これにより、乳幼児の実際の睡眠発達段階に応じた最適な育児アドバイスが提供されやすくなる。
【００１５】
かかるプログラムであって、複数種類の前記育児アドバイスのうち、所定の育児アドバイスについて優先順位が設定されており、前記優先順位が高い前記育児アドバイスから優先して発信される、ことが望ましい。
【００１６】
このようなプログラムによれば、乳幼児の発達にとって重要なアドバイスが優先的に発信されることにより、育児者は、安心してアドバイスを実践しやすくなる。また、不必要な育児アドバイスが発信されにくいことから、育児者にストレスを与えてしまうことが抑制される。
【００１７】
かかるプログラムであって、前記睡眠発達ランク決定処理では、前記乳幼児の月齢に応じて複数段階の前記睡眠発達ランクが規定された睡眠発達情報を参照し、前記乳幼児の月齢と、算出された前記睡眠スコアとに基づいて、前記睡眠発達ランクが決定される、ことが望ましい。
【００１８】
このようなプログラムによれば、複数の乳幼児の実際の睡眠データに基づいて睡眠発達ランクを規定する睡眠発達情報（睡眠成長曲線）を利用することにより、制御部における複雑な処理を必要とせず、且つ、高精度な睡眠発達状態の評価を行うことができる。
【００１９】
かかるプログラムであって、前記情報発信処理では、前記乳幼児の月齢に応じて複数段階の前記睡眠発達ランクが表された図に、算出された前記睡眠スコアを重ねて表示した図が発信される、ことが望ましい。
【００２０】
このようなプログラムによれば、育児者は、育児対象の乳幼児の睡眠発達状態が、他の乳幼児と比較して相対的にどの程度であるのかについて、視覚的に認識することができる。
【００２１】
かかるプログラムであって、前記情報発信処理では、前記乳幼児の月齢に応じて複数段階の前記睡眠発達ランクが表された前記図に、時系列毎に算出された複数の前記睡眠スコアを重ねて表示した図が発信される、ことが望ましい。
【００２２】
このようなプログラムによれば、育児者は、育児対象の乳幼児の睡眠発達状態の変遷を、時系列を追って確認できるようになる。これにより、育児者は、自身の育児方針が正しいのか、改善を要するのか等について、客観的に認識しやすくなる。
【００２３】
かかるプログラムであって、前記情報発信処理では、前記情報発信処理では、睡眠データ受け付け処理にて受け付けた前記睡眠データを視覚的に表示した図が発信される、ことが望ましい。
【００２４】
このようなプログラムによれば、乳幼児が１日のうちどの時間帯に寝ていて、どの時間帯に覚醒していたのかが明確になり、育児者は、乳幼児の睡眠・覚醒リズムが正常であるか否かを認識しやすくなる。
【００２５】
また、所定期間内において乳幼児が睡眠を開始した時刻と前記睡眠から覚醒した時刻とを含む睡眠データの入力を受け付ける睡眠データ受け付け工程と、受け付けた前記睡眠データに基づいて、前記乳幼児の睡眠スコアを算出する睡眠スコア算出工程と、前記乳幼児の月齢と、算出された前記睡眠スコアとに基づいて、前記乳幼児の睡眠に関わる発達状態を表す睡眠発達ランクを決定する、睡眠発達ランク決定工程と、決定した前記睡眠発達ランクに対応した情報を発信する、情報発信工程と、を有する、ことを特徴とする育児支援方法が明らかとなる。
【００２６】
このような育児支援方法によれば、実際に算出された乳幼児の睡眠スコア、及び、乳幼児の月齢に基づいて睡眠発達ランクが決定される。したがって、月齢による睡眠スコアのばらつきの影響が抑制され、乳幼児の睡眠に関わる発達状態について、客観的で正確な評価を行うことができる。
【００２７】
また、ネットワークを介して接続された情報処理装置と、端末とを有する育児支援システムであって、前記情報処理装置は、所定期間内において乳幼児が睡眠を開始した時刻と前記睡眠から覚醒した時刻とを含む睡眠データの入力を、前記ネットワークを介して前記端末から受け付ける睡眠データ受け付け処理部と、受け付けた前記睡眠データに基づいて、前記乳幼児の睡眠スコアを算出する睡眠スコア算出処理部と、前記乳幼児の月齢と、算出された前記睡眠スコアとに基づいて、前記乳幼児の睡眠に関わる発達状態を表す睡眠発達ランクを決定する、睡眠発達ランク決定処理部と、決定した前記睡眠発達ランクに対応した情報を、前記ネットワークを介して前記端末に発信する、情報発信処理部と、を備える、ことを特徴とする育児支援システムが明らかとなる。
【００２８】
このような育児支援システムによれば、実際に算出された乳幼児の睡眠スコア、及び、乳幼児の月齢に基づいて睡眠発達ランクが決定される。したがって、月齢による睡眠スコアのばらつきの影響が抑制され、乳幼児の睡眠に関わる発達状態について、客観的で正確な評価を行うことができる。
【００２９】
＝＝＝実施形態＝＝＝
＜育児支援システムの構成＞
図１は、本実施形態にかかる育児支援システム１を説明する図である。育児支援システム１は、ユーザー（以下、「育児者」とも呼ぶ）に対して、乳幼児の睡眠に関わる発達状態（例えば、乳幼児の身体・精神の成長や、神経の発達）の評価や育児アドバイスに関する情報を、ネットワーク２を介して提供するものである。なお、一般に、「乳幼児」とは、小学校に就学する前の子供をいうが、本実施形態の育児支援システムは、特に月齢０〜１２ヶ月程度の乳幼児に適している。
【００３０】
育児支援システム１は、ネットワーク２を介して通信可能に接続されたサーバー装置（コンピューター）１０と、育児者が使用する端末２０と、各種センサー装置３０と、を含んで構成される。但し、本実施形態において端末２０は、必ずしもサーバー装置１０やセンサー装置３０と通信可能に接続されていなくても良く、プログラムをダウンロードしてインストールすることにより、端末２０単体で育児支援システム１を構成することも可能である。
【００３１】
（サーバー装置１０）
図２は、サーバー装置１０の機能上の構成を示すブロック図である。サーバー装置１０は、システム管理者等が育児に関するサービスを運営・管理する際に利用する情報処理装置（コンピューター）であって、例えば、ワークステーションやパーソナルコンピューター等である。本実施形態のサーバー装置１０は、制御部１１と、記憶部１２と、入力部１３と、表示部１４と、通信部１５と、を有している。
【００３２】
制御部１１は、各部間のデータの受け渡しを行うととともに、サーバー装置１０全体の制御を行うものである。制御部１１は、睡眠データ受け付け処理部１１１と、睡眠スコア算出処理部１１２と、睡眠発達ランク決定処理部１１３と、育児アドバイス選択処理部１１４と、情報発信処理部１１５と、を有している。各部における具体的な処理動作については後で説明する。
【００３３】
記憶部１２は、システムプログラムが記憶された読み取り専用の記憶領域であるＲＯＭ（Read Only Memory）と、制御部１１による演算処理のワーク領域として使用される書き換え可能な記憶領域であるＲＡＭ（Random Access Memory）とを有しており、例えば、フラッシュメモリやハードディスク等の不揮発性記憶装置によって実現される。本実施形態における記憶部１２は、育児アドバイスデータベース１２１を有している。育児アドバイスデータベース１２１には育児アドバイスに関する各種の情報が格納されている。
【００３４】
入力部１３は、システム管理者等が各種育児サービスに関する設定（例えば、育児アドバイスに関するデータの更新設定等）を入力するためのものであり、例えば、キーボードやマウス等によって実現される。
【００３５】
表示部１４は、制御部１１からの指令に基づいてシステム管理者用の操作画面を表示するためのものであり、例えば、液晶ディスプレイ（ＬＣＤ：Liquid Crystal Display）等によって実現される。
【００３６】
通信部１５は、端末２０等の機器と通信を行うためのものであり、端末２０等から送信される各種データや信号を受信する受信部としての機能、及び、制御部１１の指令に応じて各種データや信号を端末２０等へ送信する送信部としての機能を有している。
【００３７】
（端末２０）
図３は、端末２０の機能上の構成を示すブロック図である。端末２０は、育児者が実際に操作する情報処理端末（コンピューター）であって、サーバー装置１０やセンサー装置３０から出力された情報や、育児者からの入力操作に基づく情報の入力を受け付けて各種の処理を行う。端末２０は、例えばスマートフォンやタブレット端末である。本実施形態の端末２０は、端末制御部２１、端末記憶部２２、端末入力部２３、端末表示部２４、及び端末通信部２５を有している。
【００３８】
端末制御部２１は、各部間のデータの受け渡しを行うととともに、端末２０全体の制御を行うものであり、サーバー装置１０の制御部１１と同様に、ＣＰＵ（Central Processing Unit）が所定のメモリに格納されたプログラムを実行することによって実現される。
【００３９】
端末記憶部２２は、バスを介して端末制御部２１に接続され、端末制御部２１からの指令に応じて記憶されているデータを参照、読み出し、書き換える処理が行われる。この端末記憶部２２は、例えば、フラッシュメモリやハードディスク等によって実現される。
【００４０】
端末入力部２３は、端末２０を使用するユーザー（育児者）が乳幼児の睡眠データ等の各種データを入力するものであり、例えば、タッチパネルのタップ操作により実現される。端末表示部２４は、端末制御部２１からの指令に基づいて各種の情報を表示する画面であり、例えば、液晶ディスプレイ（ＬＣＤ：Liquid Crystal Display）等によって実現される。端末通信部２５は、サーバー装置１０やセンサー装置３０との間で情報の送受信を行う。
【００４１】
（センサー装置３０）
センサー装置３０は、乳幼児の生体情報を取得して、当該生体情報をサーバー装置１０や端末２０に出力するための装置である。本実施形態のセンサー装置３０としては、接触式の生体情報測定センサー３１や、非接触式の生体情報測定センサー３２が使用される。
【００４２】
接触式の生体情報測定センサー３１としては、加速度センサーを備えた腕時計型のウェアラブルセンサーユニット（例えば、公知のアクチグラフ）を使用することができる。アクチグラフは、測定対象者（すなわち乳幼児）の手首や足首等に巻き付けておくことで測定対象者の活動量（体動量）を長期間連続して測定することが可能である。測定された活動量の時系列変化を分析することによって乳幼児が睡眠しているのか覚醒しているのかについて判定を行い、睡眠開始時刻や覚醒時刻を客観的に測定することができる。また、乳幼児が着用する使い捨ておむつに加速度センサーが設けられた、おむつ型のウェアラブルセンサーユニットを使用しても良い。使い捨ておむつは、基本的に乳幼児が常時着用しているものであることから、生体情報を取得しやすく、また、乳幼児の身体に負担をかけにくい。
【００４３】
また、非接触式の生体情報測定センサー３２としては、例えば、カメラや赤外線サーモグラフィを使用することができる。カメラによって撮像された乳幼児の画像や、サーモグラフィによって検出された熱分布に基づいて乳幼児の体動量を判断することにより、睡眠開始時刻や覚醒時刻を測定することができる。
【００４４】
＜育児支援方法＞
育児支援システム１を用いた育児支援方法として、乳幼児の睡眠に関わる発達状態に関する情報を育児者に提供する方法について説明する。
【００４５】
はじめに、ユーザー（育児者）は、端末２０を用いて初期設定を行う。プログラムを初めて起動させると、制御部１１は、乳幼児に関する個人情報の入力を要求し、端末２０の端末表示部２４に個人情報入力表示画面（不図示）を表示させて、乳幼児に関する個人情報の入力を受け付ける。育児者は、端末２０の端末入力部２３を介して、個人情報として少なくとも乳幼児の生年月日、及び性別を入力する。さらに、乳幼児の名前やその他の情報を入力するようにしても良い。制御部１１が個人情報の入力を受け付けると、受け付けた個人情報を記憶部１２に記憶させる。なお、入力した個人情報は、後から変更・修正可能にしておくと良い。
【００４６】
初期設定を終了すると、育児支援プログラムによる乳幼児の睡眠に関わる発達状態の評価を開始することが可能となる。図４は、本実施形態にかかる育児支援（アドバイス）動作の処理手順を示すフロー図である。
【００４７】
育児支援動作が開始されると、睡眠データ受け付け処理部１１１は、所定期間内における乳幼児の睡眠データの入力を受け付ける睡眠データ受け付け処理を行う（Ｓ１０１）。「睡眠データ」は、所定期間内において乳幼児が睡眠を開始した時刻と睡眠から覚醒した時刻とを含むデータである。所定期間は乳幼児の睡眠と覚醒のリズムを評価するための期間であり、少なくとも１日（２４時間）、望ましくは３日（７２時間）以上の期間である。所定期間は、予め設定されていても良いし、育児者の都合によって期間の設定を自在に変更できるようにしても良い。例えば、睡眠データの入力を毎日行うことにより、期間が自動的に延長されていくのであっても良い。乳幼児の睡眠時間やタイミングは日によって大きく異なる場合があるため、所定期間をなるべく長く（例えば１週間）設けることにより、日による誤差が小さくなり、乳幼児の実際の睡眠・覚醒リズムに即した睡眠データを取得しやすくなる。
【００４８】
睡眠データ受け付け処理（Ｓ１０１）に際しては、先ず、端末２０に対して睡眠データの入力が行われ（Ｓ２０１）、入力された睡眠データがネットワーク２を介して端末２０からサーバー装置１０に送信される。本実施形態では、乳幼児の睡眠開始時刻と覚醒時刻とが、上述したセンサー装置３０によって自動的に測定可能であり、センサー装置３０によって測定された睡眠データが、ネットワーク２を介して端末２０に入力（送信）される。センサー装置３０を用いて、自動的に測定を行うことにより、育児者の手間をかけずに正確な睡眠データを取得することができる。
【００４９】
一方、センサー装置３０を用いずに、育児者が手動で睡眠データを端末２０に入力するようにしても良い。例えば、端末２０とセンサー装置３０とが互いに接続されていなかった場合、睡眠データ受け付け処理部１１１は、睡眠データ入力画面２１０を端末表示部２４に表示させ、育児者に睡眠データの入力を行うように促す。図５は、睡眠データ入力画面２１０の一例を表す図である。睡眠データ入力画面２１０は、睡眠開始時刻入力部２１１と、覚醒時刻入力部２１２と、データ登録部２１３とを有する。育児者は、睡眠開始時刻入力部２１１に、乳幼児が睡眠を開始した日付と時刻とを入力する。同様に、覚醒時刻入力部２１２に、乳幼児が睡眠から目覚めた日付と時刻とを入力する。そして入力が完了したらデータ登録部２１３に表示された登録ボタンを押して（タップして）睡眠データを登録する。所定期間中にこの入力動作を繰り返すことにより、センサー装置３０を用いること無く乳幼児の睡眠データを取得することができる。なお、睡眠開始時刻の入力と、覚醒時刻の入力とが独立に行われるのであっても良い。例えば、乳幼児が睡眠を開始した時点で睡眠開始時刻を入力し登録する。その後、乳幼児が睡眠から覚めた時点で覚醒時刻を入力して再度登録するようにしても良い。
【００５０】
続いて、睡眠スコア算出処理部１１２は、Ｓ１０１にて受け付けた睡眠データに基づいて、睡眠スコアを算出する睡眠スコア算出処理を行う（Ｓ１０２）。睡眠スコアの算出方法としては、一例として、Jenni OG, Devoer T, Achermann P (2006) Development of the 24-h rest-activity pattern in human infants. Infant Behav Dev 29に開示された方法を用いることができる。例えば、最初に入力された２４時間分の睡眠データ（体動量データ）から得られる乳幼児の睡眠・覚醒パターンを表すピリオドグラムを解析し、当該ピリオドグラムの振幅を基に、２４時間の概日リズムの強さを睡眠スコアとして算出する。また、睡眠データの入力が３日間以上行われた場合には、直近の３日分の睡眠データを用いて睡眠スコアが算出されるようにしても良いし、所定期間中の平均値として睡眠スコアが算出されるようにしても良い。
【００５１】
睡眠スコア算出処理において算出された睡眠スコアは、乳幼児の睡眠・覚醒のリズムが規則的か不規則化を表す指標となる。すなわち、睡眠スコアは、乳幼児の睡眠・覚醒リズムが整っている度合いを定量化することにより、乳幼児の睡眠の発達の程度を図る指標となる。一般的に、人間は、１日（２４時間）のうち夜間に就寝し、昼に覚醒するという一定のリズムで生活を行っており、そのような規則正しいリズムの睡眠パターンであれば、睡眠スコアが高くなる。逆に、睡眠パターンが乱れると睡眠スコアが低くなる。乳幼児の場合、頻繁に寝ぐずりを生じて夜間にまとまった睡眠時間が十分取れなかったり、日中に寝ている時間が長すぎたりすると睡眠スコアが低くなり、夜間に覚醒する時間が少なくなって、その分日中に起きている時間が長くなると睡眠スコアが高くなる。
【００５２】
続いて、睡眠発達ランク決定処理部１１３は、初期設定にて登録されている乳幼児の月齢と、Ｓ１０２で算出された睡眠スコアとに基づいて、乳幼児の睡眠発達ランクを決定する睡眠発達ランク決定処理を行う（Ｓ１０３）。「睡眠発達ランク」は、乳幼児の睡眠に関わる発達状態を複数段階に分類して表した指標であり、本実施形態では初級から５級の５段階のランクを設定している。また、睡眠に関わる発達状態は、乳幼児の「身体的な発達」、「精神的な発達」、「神経の発達」等を含む概念である。これらの発達状態は、いずれも睡眠に大きく影響を及ぼすものである言われている。例えば、睡眠に関わる因子である体温や成長ホルモン、メラトニンの調整機能は、乳幼児の心身の発育が大きく関わっている。また、睡眠・覚醒のリズムの安定には、脳幹や中脳の神経系が大きく関わっている。したがって、これらの睡眠に関わる発達状態を、睡眠発達ランクとして定量的に評価することで、乳幼児の睡眠や生活のリズムが、規則正しく確立されているか否かを判断しやすくすることができる。
【００５３】
本実施形態の睡眠発達ランク決定処理（Ｓ１０３）では、予め作成された睡眠発達情報（睡眠成長曲線図）を利用して、睡眠発達ランクが決定される。図６は、本実施形態で用いられる睡眠発達情報の一例として、睡眠成長曲線を表す図である。図６の横軸は、乳幼児の月齢を表しており、縦軸は、上述した睡眠スコアを表している。そして、月齢に応じ睡眠発達ランクを規定する４本の睡眠成長曲線ＳＣ１〜ＳＣ４が表示されている。
【００５４】
睡眠成長曲線ＳＣ１〜ＳＣ４は以下のようにして作成される。先ず、月齢０ヶ月の複数（例えば１７０人程度）の新生児を対象として、月齢０〜１２月の期間において、毎月の睡眠スコアを測定（算出）し、月齢毎に睡眠スコアの分布（新生児１７０人分のスコア分布）を作成する。次に、月齢毎に睡眠スコアの平均値を求め、さらに標準偏差をもとに、平均値よりも高い２段階（例えば、＋０．５σ、＋１．５σ）、及び、平均値よりも低い２段階（例えば、−０．５σ、−１．５σ）の値を求める。そして、−１．５σ未満を初級、−１．５σ〜−０．５σを２級、−０．５σ〜＋０．５σを３級、＋０．５σ〜＋１．５σを４級、＋１．５σ以上を５級とする。すなわち、月齢毎に、睡眠スコアの分布を５段階（初級〜５級）の睡眠発達ランクとして分類する。そして、最小自乗スペクトル解析により、当該５段階の分類の月齢毎の変遷を曲線で表し、睡眠成長曲線ＳＣ１〜ＳＣ４とする。
【００５５】
このようにして決定された睡眠成長曲線ＳＣ１〜ＳＣ４は、５段階（初級〜５級）の睡眠発達ランクを規定するものである。例えば、図６において、睡眠成長曲線ＳＣ１よりも下側の領域が初級であり、睡眠成長曲線ＳＣ１とＳＣ２とで囲まれる領域が２級である。同様に、睡眠成長曲線ＳＣ２〜ＳＣ４によって３級〜５級の領域が規定される。
【００５６】
睡眠発達ランク決定処理（Ｓ１０３）において、睡眠発達ランク決定処理部１１３は、睡眠スコア算出処理（Ｓ１０２）で算出された乳幼児の睡眠スコア、及び、乳幼児の月齢を、図６の睡眠成長曲線図（睡眠発達情報）にプロットする。そして、プロットされた領域に応じて、当該乳幼児の睡眠発達ランクを決定する。例えば、図６では、月齢２か月の乳幼児の睡眠スコアが０．５と算出された場合についてプロットされた星印が、睡眠成長曲線ＳＣ１よりも下側の領域、すなわち睡眠発達ランク初級に位置している。この場合、当該乳幼児の現時点（月齢２か月）における睡眠発達ランクは初級と決定される。なお、プロットが睡眠成長曲線ＳＣ１〜ＳＣ４のいずれかと重複する場合には、その睡眠成長曲線の下側（若しくは上側でも良い）に規定されている睡眠発達ランクが適用されるようにすることができる。
【００５７】
このように、本実施形態の育児支援システムでは、実際に算出された乳幼児の睡眠スコア、及び、乳幼児の月齢に基づいて睡眠発達ランクが決定される。仮に、睡眠スコアのみに基づいて睡眠発達ランクが決定された場合、月齢によるばらつきや個人差の影響で、正確な評価結果が得られないおそれがある。これに対して、本実施形態では、睡眠スコアを算出したうえで、月齢を考慮して睡眠発達状態の評価が行われる。これにより、月齢による睡眠スコアのばらつきの影響が抑えられ、乳幼児の睡眠に関わる発達状態について、客観的で正確な評価を行うことができる。
【００５８】
また、複数の乳幼児の実際の睡眠データに基づく睡眠発達情報から生成された睡眠成長曲線図を利用して睡眠発達ランクを決定することにより、制御部１１における複雑な処理を必要とせず、且つ、高精度な睡眠発達状態の評価を行うことができる。
【００５９】
続いて、育児アドバイス選択処理部１１４は、記憶部１２に記憶されている育児アドバイスデータベース１２１を参照して、乳幼児の月齢及び睡眠発達ランクに対応した所定の育児アドバイスを選択する。そして、選択された育児アドバイスが、情報発信処理部１１５によって、育児者の端末２０に向けて発信される情報発信処理が行われる（Ｓ１０４）。
【００６０】
図７Ａ〜７Ｃは、育児アドバイスデータベース１２１の一例を示す図である。育児アドバイスデータベース１２１には、睡眠に関わる複数種類の育児アドバイスが、月齢毎に登録されている。育児アドバイスは、大きく３つのテーマ[（１）睡眠、（２）昼寝、（３）活動］に分類されており、必要に応じてさらに細かく分類されている（例えば、図７Ａ〜７Ｃにおける中分類）。もちろん、図７Ａ〜７Ｃに表示されていないテーマについての育児アドバイスが登録されていても良い。また、育児アドバイスデータベース１２１に登録されている複数の育児アドバイスのうち、所定の育児アドバイスには優先順位が設定されている。図７Ａ〜７Ｃでは、太線で囲まれた領域の育児アドバイスが優先順位１に設定され、点線で囲まれた領域の育児アドバイスが優先順位２に設定され、一点鎖線で囲まれた領域の育児アドバイスが優先順位３に設定されている。この優先順位が高いほど、乳幼児の発達にとって重要なアドバイスとなっている。但し、現在優先順位が設定されていない項目について優先順位が設定されたり、優先順位を変更したりしてもよい。
【００６１】
なお、本実施形態では、優先順位１〜３の各々について、乳幼児の月齢に応じて必ず１以上の育児アドバイスが設定されている。例えば、図７Ｂにおいて、月齢４ヶ月の乳幼児に対して、優先順位１として（１）睡眠の「起床タイミング」に関するアドバイスが設定され、優先順位２として（１）睡眠の「就床タイミング」及び「入眠儀式」に関するアドバイスが設定され、優先順位３として（３）活動の「あそび／外出」に関するアドバイスが設定されている。
【００６２】
本実施形態において、育児アドバイス選択処理部１１４は、Ｓ１０３で決定された睡眠発達ランクと、乳幼児の月齢に応じて、１以上の育児アドバイスを選択する。その際、優先順位が高く設定されている育児アドバイスが優先的に選択される。例えば、睡眠発達ランクが５級若しくは４級である場合には、優先順位１に設定された育児アドバイスが選択される。また、睡眠発達ランクが３級である場合には、優先順位１に設定された育児アドバイス、及び優先順位２に設定された育児アドバイスがそれぞれ選択される。つまり、２種類の育児アドバイスが選択される。また、睡眠発達ランクが２級若しくは初級である場合には、優先順位１〜３に設定された育児アドバイスがそれぞれ選択される。つまり、３種類の育児アドバイスが選択される。
【００６３】
選択された育児アドバイスは、情報発信処理部１１５によって発信され（Ｓ１０４）、ネットワーク２を介して、育児者の端末２０に受信され、端末表示部２４に表示される（Ｓ２０２）。発信される育児アドバイスは、育児対処の乳幼児の睡眠発達状態に応じた的確で有用なアドバイスであることから、育児者による育児を効果的に支援することができる。また、育児者が十分な育児経験を有していない場合や、育児上の不安を感じている場合であっても、安心してアドバイスを実践しやすくなる。
【００６４】
図８は、端末表示部２４に表示される育児アドバイス表示画面２２０の一例を表す図である。育児アドバイス表示画面２２０は、表示選択タブ２２１と、育児アドバイス表示部２２２とを有する。表示選択タブ２２１は、情報発信処理部１１５によって発信される各種情報（後述）のうち、育児者が見たい情報について選択するためのタブである。図８では、育児アドバイスを表示させるために、「(2)育児アドバイス」のタブが選択されているが、他のタブ（(1)睡眠スコアや(3)その他）を選択することによって表示される情報を変更することが可能である。育児アドバイス表示部２２２には、Ｓ１０４にて選択・発信された１以上のアドバイスが表示される。例えば、月齢２月の乳幼児の睡眠発達ランクが初級であった場合（図６における星印の場合）、育児アドバイスデータベース１２１に登録されている月齢２月の乳幼児に対する複数の育児アドバイスのうち（図７Ａ参照）、優先順位１〜３に設定された３種類の育児アドバイスが表示される。
【００６５】
なお、本実施形態において育児アドバイス表示画面２２０に表示される育児アドバイスは、最大でも３種類である。育児アドバイスが４種類以上であると、育児者の読解に係る負担や、当該育児アドバイスを実際に実施する負担が増加して、育児アドバイスが実践され難くなるおそれがある。また、人間の記憶・能力を考慮した場合、最大限３種類の育児アドバイスに留めておくことが効果的である。また、各々の育児アドバイスの文章が長くなりすぎないよう一文で、且つ柔らかい表現で表示するようにしている。これらにより、育児者のストレスが軽減され、乳幼児にとって効果的なアドバイスが実践されやすくなる。
【００６６】
また、上述したように、本実施形態では、睡眠発達ランクが高いほど、表示される育児アドバイスの数（種類）が少ない。睡眠発達ランクが高い乳幼児は、睡眠発達ランクが低い乳幼児と比較して、既に良好な睡眠・覚醒リズムを実現できている可能性が高いため、過度な育児アドバイスを行うと睡眠・覚醒リズムを悪化させてしまうおそれがある。そこで、表示される育児アドバイスの数（種類）を、睡眠発達ランクの高さに応じて制限することにより、乳幼児の実際の発達段階に適した育児アドバイスを提供できるようにしている。
【００６７】
さらに、本実施形態では、育児アドバイス毎に優先順位が設定されており、睡眠発達ランクに応じて優先順位が高い育児アドバイスから優先して発信され、端末２０に表示されるようになっている。上述のように、優先順位が高い育児アドバイスほど、乳幼児の発達にとって重要なアドバイスである。したがって、育児アドバイスに優先順位が設定されていることにより、育児者は、育児アドバイスの有用性について自ら判断する必要が無く、安心してアドバイスを実践しやすくなる。また、不必要な育児アドバイスが表示されにくいことから、育児者にストレスを与えてしまうことが抑制される。
【００６８】
また、情報発信処理（Ｓ１０４）で発信される情報の種類は、上述の育児アドバイスのみには限られない。例えば、上述した睡眠成長曲線に、乳幼児の月齢及び睡眠スコアを重ねて表示した図（図６の睡眠成長曲線及び星印に相当）が発信され、育児者の端末２０に表示されるようにして良い。このような図が表示されることにより、育児者は、育児対象の乳幼児の睡眠発達状態が他の乳幼児と比較して相対的にどの程度であるのかについて、視覚的に認識しやすくなる。
【００６９】
さらに、図６で説明した睡眠成長曲線に、月齢毎に算出された睡眠スコアが時系列順に並んで表示されるようにしても良い。すなわち、図６において、月齢毎に複数の星印が並んでプロットされた図が表示されるようにしても良い。このような図であれば、乳幼児の睡眠発達ランクの変遷が時系列を追って確認できるようになる。したがって、育児者は、育児対象の乳幼児の睡眠発達状態が、順調に推移しているのか否かを一見して把握できるようになる。これにより、育児者は、自身の育児方針が正しいのか、改善を要するのか等について、客観的に認識することができるようになる。
【００７０】
また、情報発信処理（Ｓ１０４）において、Ｓ１０１で受け付けられた睡眠データを視覚的に表示した図が発信され、育児者の端末２０に表示されるようにしても良い。図９は、端末表示部２４に表示される睡眠スコア表示画面２３０の一例を表す図である。睡眠スコア表示画面２３０は、表示選択タブ２３１と、睡眠・覚醒リズム表示部２３２と、スコア表示部２３３とを有する。表示選択タブ２３１は、図８の表示選択タブ２２１と同様の機能を有するタブであり、図９では、睡眠スコアを表示させるために、「(1)睡眠スコア」のタブが選択されている。睡眠・覚醒リズム表示部２３２は、実際に測定された乳幼児の睡眠データを、日付毎にグラフ化した図が表示される。これにより、１日のうち、乳幼児が寝ている時間帯と、覚醒している時間帯とが可視化され、育児者は、乳幼児の睡眠・覚醒リズムが正常であるか否かを一見して認識することができる。スコア表示部２３３には、睡眠・覚醒リズム表示部２３２に表示されている期間における、睡眠スコアの平均値や、睡眠発達ランクが表示される。また、睡眠発達リズムのグラフと共に、睡眠スコアや睡眠発達ランクの数値が明確に表示されることにより、育児者は、睡眠・覚醒リズムの乱れが睡眠スコアや睡眠発達ランク等にどのような影響を及ぼすか等について、理解しやすくなる。
【００７１】
また、情報発信処理（Ｓ１０４）において、上記以外の情報が発信されるようにしても良い。例えば、図７Ａ〜７Ｃで示したような育児アドバイスデータベース１２１の表、若しくはより詳細なアドバイスが記載された表が発信され、育児者の要求に応じて端末２０にて閲覧できるようにしても良い。
【００７２】
＝＝＝その他の実施形態＝＝＝
以上、本発明の実施形態について説明したが、上記の実施形態は、本発明の理解を容易にするためのものであり、本発明を限定して解釈するためのものではない。また、本発明は、その趣旨を逸脱すること無く、変更や改良され得るとともに、本発明にはその等価物が含まれるのは言うまでも無い。例えば、以下に示すような変形が可能である。
【００７３】
上述の実施形態では、育児アドバイスを端末２０に備えられた画面（端末表示部２４）に表示することとしたが、端末２０にスピーカーを備えて音声や音楽、光等で報知することとしても良い。これにより、育児者は、端末２０を常に見ていなくても、各報知の情報を知ることができる。また、画面表示と共に音声や音楽等を表示するようにしても良い。
【００７４】
また、端末２０の端末表示部２４とは異なる画面に育児アドバイスを表示するようにしても良い。例えば端末２０と通信可能に接続されたパソコンのモニター等に育児アドバイスや睡眠データのグラフが表示されるようにしても良い。パソコンのモニター等の大型の画面を用いることにより、過去数日間の情報を並べて表示させたり、睡眠データのグラフを拡大して表示させたりすることが行いやすくなり、育児支援システム１の利便性をより高めることができる。
【００７５】
また、センサー装置３０と端末２０との通信は、無線パーソナルエリアネットワーク（ＷＰＡＮ）や無線ローカルエリアネットワーク（ＷＬＡＮ）のようなローカルネットワークで直接通信したり、インターネットのような無線広域ネットワーク（ＷＷＡＮ）を用いて通信したりすることとしても良い。
【００７６】
また、実行可能なプログラムが記憶された非一時的なコンピューター可読媒体（non-transitory computer readable medium with an executable program thereon）を用いて、コンピューターにプログラムを供給することも可能である。なお、非一時的なコンピューターの可読媒体の例は、磁気記録媒体（例えばフレキシブルディスク、磁気テープ、ハードディスクドライブ）、ＣＤ−ＲＯＭ（Read Only Memory）等がある。
【符号の説明】
【００７７】
１  育児支援システム、
２  ネットワーク、
１０  サーバー装置（コンピューター、情報処理装置）、
１１  制御部、
１１１  睡眠データ受け付け処理部、１１２  睡眠スコア算出処理部、
１１３  睡眠発達ランク決定処理部、１１４  育児アドバイス選択処理部、
１１５  情報発信処理部、
１２  記憶部、１２１  育児アドバイスデータベース、
１３  入力部、１４  表示部、１５  通信部、
２０  端末（コンピューター、情報処理端末）、
２１  端末制御部、２２  端末記憶部、２３  端末入力部、２４  端末表示部、
２５  端末通信部、
３０  センサー装置、
３１  生体情報測定センサー（接触式）、３２  生体情報測定センサー（非接触式）、
２１０  睡眠データ入力画面、
２１１  睡眠開始時刻入力部、２１２  覚醒時刻入力部、２１３  データ登録部、
２２０  育児アドバイス表示画面、
２２１  表示選択タブ、２２２  育児アドバイス表示部、
２３０  睡眠スコア表示画面、
２３１  表示選択タブ、２３２  睡眠・覚醒リズム表示部、２３３  スコア表示部
【図１】
2020112953.tif 000003
【図２】
2020112953.tif 000004
【図３】
2020112953.tif 000005
【図４】
2020112953.tif 000006
【図５】
2020112953.tif 000007
【図６】
2020112953.tif 000008
【図７Ａ】
2020112953.tif 000009
【図７Ｂ】
2020112953.tif 000010
【図７Ｃ】
2020112953.tif 000011
【図８】
2020112953.tif 000012
【図９】
2020112953.tif 000013